(57)【要約】【課題】複数のＩＣチップから、ユーザが利用する場面において、必要なＩＣチップに記憶された情報を読み取ること。【解決手段】ＲＦＩＤインレットは、インレット基材と、インレット基材に形成されたループアンテナと、ループアンテナに接続された複数のＩＣチップと、複数のＩＣチップのそれぞれに対応して設けられ、複数のＩＣチップのそれぞれへの電流を個別にオンオフするための複数のスイッチと、を備える。【選択図】  図２
2018173875.tif 000002
【特許請求の範囲】
【請求項１】
ＲＦＩＤインレットであって、
インレット基材と、
前記インレット基材に形成されたループアンテナと、
前記ループアンテナに接続された複数のＩＣチップと、
前記複数のＩＣチップのそれぞれに対応して設けられ、前記複数のＩＣチップのそれぞれへの電流を個別にオンオフするための複数のスイッチと、
を備えるＲＦＩＤインレット。
【請求項２】
請求項１に記載のＲＦＩＤインレットであって、
前記複数のスイッチのそれぞれは、前記複数のＩＣチップのそれぞれに対して直列に設けられる、
ＲＦＩＤインレット。
【請求項３】
請求項１又は２に記載のＲＦＩＤインレットであって、
前記スイッチに対して直列に接続された発光部を備える、
ＲＦＩＤインレット。
【請求項４】
ＩＣチップを備えたＲＦＩＤ媒体であって、
インレット基材と、前記インレット基材に形成されたループアンテナと、前記ループアンテナに接続された複数のＩＣチップと、前記複数のＩＣチップのそれぞれに対応して設けられ、前記複数のＩＣチップのそれぞれへの電流を個別にオンオフするための複数のスイッチと、を備えたＲＦＩＤインレットと、
前記インレット基材の前記ループアンテナ及び前記ＩＣチップが配置された表面に接着剤層を介して配置された表面基材と、
を備えるＲＦＩＤ媒体。
【請求項５】
請求項４に記載のＲＦＩＤ媒体であって、
前記複数のスイッチのそれぞれは、前記複数のＩＣチップのそれぞれに対して直列に設けられる、
ＲＦＩＤ媒体。
【請求項６】
請求項４又は５に記載のＲＦＩＤ媒体であって、
前記インレット基材は、前記スイッチに対して直列に接続された発光部を備える、
ＲＦＩＤ媒体。
【請求項７】
請求項４から６のいずれか１つに記載のＲＦＩＤ媒体であって、
前記インレット基材の前記ループアンテナ及び前記ＩＣチップが配置された前記表面の反対面に接着剤層を介して裏面基材が配置される、
ＲＦＩＤ媒体。
【発明の詳細な説明】
【技術分野】
【０００１】
本発明は、ＲＦＩＤインレット及びＲＦＩＤ媒体に関する。
【背景技術】
【０００２】
所定の情報が書き込まれたＩＣチップから非接触通信によって情報を送受するＲＦＩＤ（Ｒａｄｉｏ  Ｆｒｅｑｕｅｎｃｙ  Ｉｄｅｎｔｉｆｉｃａｔｉｏｎ）技術は、例えば、商用タグ、出入者確認用タグ、クレジットカード、プリペイドカード、キャッシュカード、ＩＤカード、各種会員カード、社員証、診察券、乗車券等の種々の分野において適用されている（特許文献１参照）。
【０００３】
上述した非接触通信に対応したＲＦＩＤ媒体としては、例えば、ＩＣチップに小売業者の系列の店舗においてのみ使用可能な電子マネー情報や買い物ポイントが記憶された小売業者系ＩＣカードや、ＩＣチップに鉄道等の定期券や乗車券等の情報及び該当する交通会社の系列の店舗においてのみ使用可能な電子マネー情報が記憶された交通会社系ＩＣカード等がある。
【先行技術文献】
【特許文献】
【０００４】
【特許文献１】特開２００６−０９９７５０号公報
【発明の概要】
【発明が解決しようとする課題】
【０００５】
非接触通信に対応した上述の小売業者系ＩＣカード、交通会社系ＩＣカード等では、サービス提供者である小売業者や鉄道会社が相互利用を許容している場合を除き、ユーザは、例えば、交通会社系ＩＣカードに記憶された電子マネーを小売業者の系列店で使用することはできなかった。
【０００６】
すなわち、ユーザは、小売業者系ＩＣカード、交通会社系ＩＣカード等のように、各系統に付随したサービスしか受けられないようになっている。
【０００７】
このため、ユーザは、それぞれのサービスに対応した複数のＩＣカードを所有しなければならず、持ち歩くカードの枚数が嵩むことが煩わしかった。また、ＩＣカード同士を重ねていると、ＩＣカードのＩＣチップを読み取り可能な通信端末において、読み取る際に、ＩＣカード同士が互いに干渉し合って、読取エラーが生じることがあった。
【０００８】
そこで、本発明は、１つのＲＦＩＤ媒体で、ＲＦＩＤを用いた複数のサービスが受けられるようにすることを目的とする。
【課題を解決するための手段】
【０００９】
本発明のある態様によれば、インレット基材と、前記インレット基材に形成されたループアンテナと、前記ループアンテナに接続された複数のＩＣチップと、前記複数のＩＣチップのそれぞれに対応して設けられ、前記複数のＩＣチップのそれぞれへの電流を個別にオンオフするための複数のスイッチと、を備えるＲＦＩＤインレットが提供される。
【発明の効果】
【００１０】
上述の態様によれば、１つのＲＦＩＤ媒体で、ＲＦＩＤを用いた複数のサービスが受けられるようになる。
【図面の簡単な説明】
【００１１】
【図１】図１は、本発明の実施形態に係るＲＦＩＤ媒体１の外観図である。
【図２】図２は、ＲＦＩＤ媒体１から表面基材２２を取り除いたＲＦＩＤインレット１０の平面図である。
【図３】図３は、図２に示すＲＦＩＤインレット１０のＩＩＩ−ＩＩＩ線における断面図である。
【図４】図４は、本発明の実施形態に係るＲＦＩＤ媒体１が使用されるときの様子を説明する模式図である。
【図５】図５は、本発明の実施形態に係るＲＦＩＤ媒体１を用いたサービスの一例を説明する模式図である。
【発明を実施するための形態】
【００１２】
［ＲＦＩＤ媒体の説明］
本発明の実施形態に係るＲＦＩＤ媒体１について、図１から図３を参照して詳細に説明する。
【００１３】
図１は、本発明の実施形態に係るＲＦＩＤ媒体１の外観図である。図２は、ＲＦＩＤ媒体１から表面基材２２を取り除いた状態、すなわちＲＦＩＤインレット１０の平面図である。図３は、図２のＩＩＩ−ＩＩＩ線における断面図である。なお、図３では、表面基材２２及び接着剤層２１が２点鎖線で示されている。
【００１４】
図１に示すＲＦＩＤ媒体１は、いわゆるＩＣカードである。ＲＦＩＤ媒体１は、図２に示すように、インレット基材１１と、インレット基材１１に配置されたループアンテナ１２、ＩＣチップ１３ａ，１３ｂ，１３ｃ，１３ｄ、スイッチ１４ａ，１４ｂ，１４ｃ，１４ｄ、及び発光部１６等を備え、図示されていない通信装置と非接触通信によって通信可能に構成される。
【００１５】
なお、以下の説明では、ＩＣチップ１３ａ，１３ｂ，１３ｃ，１３ｄを区別なく説明する場合にはＩＣチップ１３と表記し、スイッチ１４ａ，１４ｂ，１４ｃ，１４ｄを区別なく説明する場合にはスイッチ１４と表記する。
【００１６】
ＲＦＩＤ媒体１の表面には、ループアンテナ１２が内蔵された領域であることを示すアンテナマーク２がプリントされている。また、ＲＦＩＤ媒体１の表面には、スイッチ１４ａ，１４ｂ，１４ｃ，１４ｄが内蔵された領域であることを示すボタン３ａ，３ｂ，３ｃ，３ｄがプリントされている。
【００１７】
また、ＲＦＩＤ媒体１の表面において、ボタン３ａ，３ｂ，３ｃ，３ｄの隣には、ボタン３ａ，３ｂ，３ｃ，３ｄに紐付けされたＩＣチップの機能を示すサービス名称４ａ，４ｂ，４ｃ，４ｄがプリントされている。
【００１８】
ＲＦＩＤ媒体１の表面は、表面基材２２の表面に相当する。表面基材２２の一部には開口部２２ｈが形成されており、開口部２２ｈからは発光部１６が外部に臨んでいる。
【００１９】
表面基材２２は、図３に２点鎖線で示すように、インレット基材１１の表面に接着剤層２１を介して設けられる。また、ＲＦＩＤ媒体１は、インレット基材１１におけるＩＣチップ１３等が配置された表面の反対面に接着剤層２３を介して設けられた裏面基材２４を有する。
【００２０】
インレット基材１１は、フィルム状に成形可能なエンジニアリングプラスチックを用いることができ、例えば、ポリエステル樹脂、なかでも、ポリエチレンテレフタレートのフィルム単体又はこのフィルムを複数枚積層したものを用いることができる。
【００２１】
インレット基材１１の厚さは、２５μｍ以上２００μｍ以下であることが好ましく、本実施形態では、５０μｍである。
【００２２】
ＩＣチップ１３は、ループアンテナ１２と電気的に接続されるとともに、ループアンテナ１２を介してインレット基材１１の表面に接合されている。
【００２３】
表面基材２２としては、紙や合成樹脂、又はフィルム状に成形可能なエンジニアリングプラスチックを用いることができる。紙としては、クラフト紙、上質紙、アート紙及びコート紙、光沢のあるグロス紙、感熱紙等を用いることができる。裏面基材２４についても同様である。
【００２４】
また、フィルムとしては、ポリエステル、ポリエチレン、ポリプロピレン、塩化ビニル、ポリスチレン、合成樹脂を主原料とした紙状フィルム等を用いることができる。
【００２５】
本実施形態においては、表面基材２２として、塩化ビニル又はポリプロピレンシートを用いることが好ましい。表面基材２２の厚さは、２０μｍ〜２００μｍとすることができる。
【００２６】
次に、ＲＦＩＤインレット１０について説明する。
【００２７】
ＲＦＩＤインレット１０は、図２に示すように、インレット基材１１と、インレット基材１１の表面に形成されたループアンテナ１２と、ループアンテナ１２に接続されたＩＣチップ１３ａ，１３ｂ，１３ｃ，１３ｄと、を備える。
【００２８】
また、ＲＦＩＤインレット１０は、複数のＩＣチップ１３ａ，１３ｂ，１３ｃ，１３ｄのそれぞれに対応して設けられ、複数のＩＣチップ１３ａ，１３ｂ，１３ｃ，１３ｄのそれぞれへの電流を個別にオンオフするためのスイッチ１４ａ，１４ｂ，１４ｃ，１４ｄを備える。
【００２９】
ループアンテナ１２は、ＨＦ帯（３ＭＨｚ〜３０ＭＨｚ、特に１３．５６ＭＨｚ近傍）等の特定の周波数帯の電波を送受信することができる。
【００３０】
ループアンテナ１２は、例えば、銅やアルミニウム等の金属膜、導電性インク、又は金属線により形成されている。ループアンテナ１２の厚さは、金属膜では数μｍ〜数十μｍである。
【００３１】
ループアンテナ１２は、ＩＣチップ１３に電気的に接続されている。接合方法としては、一例として、異方導電性ペースト又は導電性フィルムを用いた焼付け接合を用いることができる。これにより、ループアンテナ１２で送受信したデータは、ＩＣチップ１３に送られて、ＩＣチップ１３において処理される。
【００３２】
ループアンテナ１２の一部の表面には、絶縁層１７が形成されている。絶縁層１７の表面には、配線部１８が形成されている。配線部１８は、ループアンテナ１２の終端と、ＩＣチップ１３と連結された配線部１５と、を接続している。配線部１５及び配線部１８は、アルミニウム箔又は銅箔によって形成されている。
【００３３】
また、ＲＦＩＤインレット１０は、ループアンテナ１２とＩＣチップ１３との間に、ループアンテナ１２とＩＣチップ１３とに電気的に接続された発光部１６を有する。ここで、発光部１６としては、ＬＥＤ（Ｌｉｇｈｔ  Ｅｍｉｔｔｉｎｇ  Ｄｅｖｉｃｅ）が挙げられる。
【００３４】
ＩＣチップ１３とスイッチ１４とは直列接続されており、ＩＣチップ１３及びスイッチ１４はループアンテナ１２に対して並列接続されている。また、発光部１６は、スイッチ１４に対して直列に接続されている。これにより、スイッチ１４のうちいずれかが閉じられてオン状態になると、閉じられたスイッチ１４に接続されたＩＣチップ１３とループアンテナ１２との間で閉回路が形成される。
【００３５】
例えば、スイッチ１４ｄが閉じられると、ＩＣチップ１３ｄとループアンテナ１２との間で閉回路が形成される。このとき、通信装置（図示しない）の通信圏内にある場合には、得られた閉回路に誘導電流が流れ、ＩＣチップ内の情報を通信装置において読み出すことができる。形成された閉回路に誘導電流が流れると、発光部１６が点灯する。これにより、ユーザは、通信が完了したことを知ることができる。
【００３６】
［ＲＦＩＤ媒体の読取操作の説明］
続いて、図４を用いて、上述したＲＦＩＤ媒体１を用いた情報の読取操作について説明する。図４は、本発明の実施形態に係るＲＦＩＤ媒体１の読取操作を説明する模式図である。
【００３７】
説明に先立って、例えば、図１に示したＲＦＩＤ媒体１のＩＣチップ１３ａには、特定の小売業者系列の店舗においてのみ使用可能な電子マネー情報が記憶されており、ＩＣチップ１３ｃには、乗車券又は定期券情報と、交通会社系列の店舗においてのみ使用可能な電子マネー情報と、が記憶されているものとする。
【００３８】
ユーザは、サービス提供者の通信装置１００にＲＦＩＤ媒体１を読み取らせる前に、提供を受けようとするサービス名称に対応するボタンを押下する。図４においては、サービス名称４ｃに対応するボタン３ｃを押下した状態で、ＲＦＩＤ媒体１を通信装置１００に近づけている様子が描かれている。
【００３９】
この場合には、通信装置１００は自動改札機である。すなわち、ユーザは、自動改札機としての通信装置１００の手前で、ボタン３ｃを押した状態で、自動改札機にＲＦＩＤ媒体１をかざすと、ボタン３ｃに対応した位置に配置されたスイッチ１４ｃが閉じられて、スイッチ１４ｃに接続されたＩＣチップ１３ｃとループアンテナ１２との間で閉回路が形成され、通信装置１００との通信が確立する。これにより、ＩＣチップ１３ｃに記憶された情報が通信装置１００に取得される。
【００４０】
これにより、ＩＣチップ１３ｃに記憶された、乗車券情報或いは定期券情報が自動改札機に認識され、改札を通過することができる。
【００４１】
また、このとき、スイッチ１４ｃに接続されたＩＣチップ１３ｃとループアンテナ１２との間で閉回路が形成されると、発光部１６が発光するため、ユーザは、通信装置１００に正しく認識されたことを知ることができる。
【００４２】
また、別の例として、通信装置１００がレジ端末である場合には、ユーザは、店舗レジ前で、ＲＦＩＤ媒体１のボタン３ａを押下した状態で、レジ端末にＲＦＩＤ媒体１をかざすと、ボタン３ａに対応したＩＣチップ１３ａに記憶された、店舗用の電子マネー情報がレジ端末に認識され、購入商品分の電子マネーが差し引かれる。
【００４３】
このように、ユーザは、ＲＦＩＤ媒体１のボタン３ｃを選ぶことによって、ＲＦＩＤ媒体１を乗車券又は定期券として使用して、自動改札を通過することができる。また、ＲＦＩＤ媒体１のボタン３ａを選ぶことによって、特定の小売業者の系列の店舗で商品等を購入することができる。
【００４４】
すなわち、ユーザは、複数のＩＣチップ１３ａ，１３ｂ，１３ｃ，１３ｄから、ユーザが利用する場面に応じて、必要なＩＣチップ１３を選択することができ、選択されたＩＣチップ１３に記憶された情報を使用することができる。
【００４５】
したがって、本実施形態に係るＲＦＩＤ媒体１によれば、通常であれば、サービス提供者毎に用意されるＩＣカードを１枚に併合することができる。また、ユーザにとっては、１つのＲＦＩＤ媒体１を所有すれば、ＲＦＩＤ媒体１に内蔵された複数のＩＣチップ１３に対応する複数のサービスを受けることができ、利便性が向上する。
【００４６】
また、本実施形態に係るＲＦＩＤ媒体１は、押下したボタンに対応するＩＣチップ１３とループアンテナ１２との間で閉回路が形成されるとき、他のＩＣチップ１３との間には、誘導電流が流れないため、読取時における読取エラーも発生しない。
【００４７】
続いて、本発明の実施形態に係るＲＦＩＤ媒体１を用いて提供される別のサービスについて説明する。図５は、別のサービスの例を説明する模式図である。
【００４８】
図５には、ＲＦＩＤ媒体１を備えた広告２００が示されている。広告２００には、表示エリア２０１，２０２，２０３，２０４に、個別の広告がプリントされている。また、広告２００の所定位置に設けられたＲＦＩＤ媒体１のボタン３ａ，３ｂ，３ｃ，３ｄには、表示エリア２０１，２０２，２０３，２０４に対応するアルファベットＸ，Ｙ，Ｗ，Ｚがプリントされている。
【００４９】
ユーザが、ＲＦＩＤ（例えばＮＦＣ（Ｎｅａｒ  Ｆｉｅｌｄ  Ｃｏｍｍｕｎｉｃａｔｉｏｎ））に対応したスマートフォン等の情報処理端末３００をアンテナマーク２に近づけた状態で、所望のボタンを押下すると、押下されたボタンに対応するＩＣチップ１３とループアンテナ１２との間で閉回路が形成され、ＩＣチップ１３に記憶された情報が、情報処理端末３００に読み取られる。
【００５０】
ユーザが、例えば、表示エリアＷ（自動車）に対応するボタンＷを押下した場合には、広告２００に掲載された自動車に関する情報を情報処理端末３００に読み込むことができる。
【００５１】
従来、広告媒体から情報処理端末を用いて情報を取得する方法として、必要情報を二次元コード化して広告媒体にプリントしておき、情報処理端末のカメラ機能で当該二次元コードを撮影して、必要情報を取得する方法がある。
【００５２】
しかし、この方法では、ユーザは、まず、情報処理端末のカメラ機能を立ち上げる必要がある。また、カメラ機能を用いて二次元コードを撮影する際にも、ユーザは、最適サイズになるように画角を調整したり、ブレの無いように撮影したりすることが要求される。このため、広告媒体にプリントされた二次元コードに記録された情報の実体を認識できるようになるまでに時間を要することがあった。
【００５３】
一方、本実施形態に係るＲＦＩＤ媒体１では、ユーザは、ボタンを選択して、情報処理端末３００をアンテナマーク２にかざすのみである。ＲＦＩＤ媒体１が情報処理端末３００の通信圏内に入れば、その時点で通信が確立するため、二次元コード方式よりも速い情報取得が可能となる。
【００５４】
［その他の実施形態］
上述した本発明の実施形態は、本発明の趣旨を逸脱しない範囲において、種々の変更が可能である。
【００５５】
ＲＦＩＤ媒体１において、ボタンは４つ、サービス名称は４つ、これに対応するボタンは４つ、また、ＩＣチップ１３及びスイッチ１４も各４つに限定されない。
【００５６】
また、ループアンテナ１２の形状は、矩形スパイラルとして説明したが、これに限定されない。ループアンテナ１２は、円形であってもよい。また、配線部１５の配線パターンも図３に示すパターンに限定されない。
【００５７】
配線部１５の配線パターンにおける発光部１６の位置もまた、図２に示す位置に限定されない。発光部１６をＩＣチップ１３の数だけ設けて、ＩＣチップ１３及びスイッチ１４を直列に接続してもよい。また、この場合、対応するボタン毎に発光部１６の色を変えることもできる。
【００５８】
表面基材２２及び裏面基材２４の材料は、ＲＦＩＤ媒体１の形態に応じて、適宜変更可能である。インレット基材１１の材質によっては、ＲＦＩＤインレット１０を裏面側から支持するための裏面基材２４は、必ずしも備えていなくてもよい。
【００５９】
また、上記実施形態では、表面基材２２は、インレット基材１１の表面に接着剤層２１を介して設けられ、裏面基材２４は、インレット基材１１におけるＩＣチップ１３等が配置された表面の反対面に接着剤層２３を介して設けられる。
【００６０】
ここで、接着剤層２１として、表面基材２２を剥離可能な粘着剤層を設けてもよい。接着剤層２１として粘着剤層を設けた場合は、表面基材２２は、いわゆるセパレータとして設けられる。同様に、接着剤層２３として、裏面基材２４を剥離可能な粘着剤層を設けてもよい。接着剤層２３として粘着剤層を設けた場は、裏面基材２４は、いわゆるセパレータとして設けられる。
【００６１】
以上、本発明の実施形態について説明したが、上記実施形態は、本発明の適用例の一部を示したに過ぎず、本発明の技術的範囲を上記実施形態の具体的構成に限定する趣旨ではない。
【符号の説明】
【００６２】
１    ＲＦＩＤ媒体
２    アンテナマーク
３ａ，３ｂ，３ｃ，３ｄ    ボタン
４ａ，４ｂ，４ｃ，４ｄ    サービス名称
１０    ＲＦＩＤインレット
１１    インレット基材
１２    ループアンテナ
１３    ＩＣチップ
１３ａ，１３ｂ，１３ｃ，１３ｄ    ＩＣチップ
１４    スイッチ
１４ａ，１４ｂ，１４ｃ，１４ｄ    スイッチ
１５    配線部
１６    発光部
１７    絶縁層
１８    配線部
２１    表面基材用接着剤層
２２    表面基材
２２ｈ    開口部
２３    裏面基材用接着剤層
２４    裏面基材
１００    通信装置
２００    広告
２０１，２０２，２０３，２０４    表示エリア
３００    情報処理端末
【図１】
2018173875.tif 000003
【図２】
2018173875.tif 000004
【図３】
2018173875.tif 000005
【図４】
2018173875.tif 000006
【図５】
2018173875.tif 000007